(57)【要約】【課題】検査中における検査者の疲労を抑制することができる超音波診断装置のフットレストを提供する。【解決手段】本体１１に固定されたブラケット１７に回転自在に取り付けられる第１フレーム２１と、第１フレーム２１の回転軸と略直交方向に第１フレーム２１に螺入される長ねじ３４と、長ねじ３４が回転自在に取り付けられる第２フレーム３１と、第１フレーム２１の本体１１に対する回転角度を調整する第１調整機構と、長ねじ３４を回転させて第２フレーム３１の高さを調整する第２調整機構と、第２フレーム３１の長ねじ３４周りの回転角度を調整する第３調整機構と、を有し、足載せ面５１のチルト角、高さ、左右方向の首振り角度を調整する。【選択図】図３
2009254739.tif 000002
【特許請求の範囲】
【請求項１】
本体に固定されたブラケットに回転自在に取り付けられる第１フレームと、
第１フレームの回転軸と略直交方向に第１のフレームに螺入される長ねじと、
長ねじが回転自在に取り付けられる第２フレームと、
本体と第１フレームとの間に設けられ、第１フレームの本体に対する回転角度を調整する第１調整機構と、
長ねじに取り付けられ、長ねじを回転させて長ねじの長手方向に第２フレームの第１フレームに対する位置を調整する第２調整機構と、
第１フレームと第２フレームとの間に取り付けられ、第２フレームの第１フレームに対する長ねじ周りの回転角度を調整する第３調整機構と、
を有することを特徴とする超音波診断装置のフットレスト。
【請求項２】
請求項１に記載の超音波診断装置のフットレストであって、
第１調整機構は、一端が自在継手を介して本体に取り付けられ、他端が第１フレームに螺入された第１ねじ棒と、第１ねじ棒に取り付けられ、第１ねじ棒を回転させる第１回転板と、を備え、
第２調整機構は、長ねじに取り付けられ、長ねじを回転させる第２回転板であり、
第３調整機構は、長ねじの長手方向にスライド自在に第２フレームに取り付けられるスライダと、一端が自在継手を介して第１フレームに取り付けられ、他端がスライダに螺入された第２ねじ棒と、第２ねじ棒に取り付けられ、第２ねじ棒を回転させる第３回転板と、を備えること、
を特徴とする超音波診断装置のフットレスト。
【発明の詳細な説明】
【技術分野】
【０００１】
本発明は、超音波診断装置のフットレストの構造に関する。
【背景技術】
【０００２】
椅子に長時間着座する場合に、脚部にかかる疲労を低減するために、車両、航空機用として、足載せ面の高さや角度を調整することができるフットレストが設けられている。例えば、特許文献１には、水平に設けられた軸の周りに足載せ面を回転させることによって足載せ面の角度を調整する方法が提案されている。また、特許文献２には、着座している席の前席の下面に設けられた水平軸の周りに回転し、使用する場合には足載せ面の高さと角度を調整することができ、使用しない場合には前席の下面に格納することができるフットレストが提案されている。
【０００３】
【特許文献１】特開２００２−２２３８９２号公報
【特許文献２】実開平５−１５８５３号公報
【発明の開示】
【発明が解決しようとする課題】
【０００４】
ところで、超音波診断装置を用いて検査者が患者の診断を行う際に、検査者は超音波診断装置の前の椅子に着座し、片手で超音波プローブを操作しながらもう一方の手で操作卓のスイッチを操作して検査を行う。患者はベッドの上に寝ている場合が多いので、超音波診断装置の操作卓、モニタなどは検査者がベッド上の患者の診察を容易に行えるような高さとなっている。このため、検査の状態によっては、検査者の足が床から浮いてしまい、検査者が超音波プローブの操作がやりにくくなる場合があるので、超音波診断装置には検査者が足を置くためのフットレストが設けられているものもある。しかし、従来の超音波診断装置のフットレストには高さ角度などの調整機能がほとんどなく、超音波検査の際に検査者が体の位置に合わせてフットレストの位置を調整することができないものが多かった。このため、長時間の検査においては検査者の疲労やストレスが問題となる場合があった。
【０００５】
本発明は、検査中における検査者の疲労を抑制することができる超音波診断装置のフットレストを提供することを目的とする。
【課題を解決するための手段】
【０００６】
本発明の超音診断装置のフットレストは、本体に固定されたブラケットに回転自在に取り付けられる第１フレームと、第１フレームの回転軸と略直交方向に第１のフレームに螺入される長ねじと、長ねじが回転自在に取り付けられる第２フレームと、本体と第１フレームとの間に設けられ、第１フレームの本体に対する回転角度を調整する第１調整機構と、長ねじに取り付けられ、長ねじを回転させて長ねじの長手方向に第２フレームの第１フレームに対する位置を調整する第２調整機構と、第１フレームと第２フレームとの間に取り付けられ、第２フレームの第１フレームに対する長ねじ周りの回転角度を調整する第３調整機構と、を有することを特徴とする。
【０００７】
本発明の超音波診断装置のフットレストにおいて、第１調整機構は、一端が自在継手を介して本体に取り付けられ、他端が第１フレームに螺入された第１ねじ棒と、第１ねじ棒に取り付けられ、第１ねじ棒を回転させる第１回転板と、を備え、第２調整機構は、長ねじに取り付けられ、長ねじを回転させる第２回転板であり、第３調整機構は、長ねじの長手方向にスライド自在に第２フレームに取り付けられるスライダと、一端が自在継手を介して第１フレームに取り付けられ、他端がスライダに螺入された第２ねじ棒と、第２ねじ棒に取り付けられ、第２ねじ棒を回転させる第３回転板と、を備えること、としても好適である。
【発明の効果】
【０００８】
本発明は、検査中における検査者の疲労を抑制することができる超音波診断装置のフットレストを提供することができるという効果を奏する。
【発明を実施するための最良の形態】
【０００９】
以下、本発明の好適な実施形態について、図面を参照しながら説明する。図１に示すように、超音波診断装置１０は、内部に電子回路や電源機器などが設けられた本体１１と、本体１１の上面に設けられたベース１２と、ベース１２に回転自在に取り付けられた操作卓１３と、ベース１２の上に設けられ、複数のアームが回転またはスライド可能に連接されたモニタ支持機構１４と、モニタ支持機構１４に取り付けられ、診断画像を表示するモニタ１５とを備えている。本体１１の底面には、床上で容易に移動することができるように、４つのキャスタ１６が取り付けられている。図１の矢印で示す上方向が超音波診断装置１０の上方向で図中の矢印で示す下方向が超音波診断装置１０の下方向となる。
【００１０】
本体１１の操作卓１３の側の側面の下部にはフットレスト２０が取り付けられている。図２に示すように、フットレスト２０は本体の下部の左右にそれぞれ左足用と右足用の２つが独立して取り付けられている。各フットレスト２０にはカバー５０の足載せ面５１のチルト角度を調整する第１回転板２７と、足載せ面５１の高さを調整する第２回転板３５と、足載せ面５１の左右方向の首振り角度を調整する第３回転板４３の３つの回転板を備え、チルト角度、高さ、首振り角度をそれぞれ独立して調整することができるよう構成さされている。なお、図２に矢印で示すように、一方のフットレストから他方のフットレストに向かう方向が超音波診断装置１０の左右方向である。
【００１１】
図３から図５を参照しながらフットレスト２０の構造を詳細に説明する。なお、図５はフットレスト２０の内部構造を模式的に表した斜視図である。図３に示すように、フットレスト２０は、第１フレーム２１と、第１フレーム２１に取り付けられた上リブ２３と下リブ２４とにねじ込まれた長ねじ３４と、長ねじ３４が回転自在に取り付けられている第２フレーム３１と、第２フレーム３１の受けフランジ３９に取り付けられた樹脂製のカバー５０を備えている。
【００１２】
第１フレーム２１は溝型の金属製フレームであり、その上側と下側には上リブ２３と下リブ２４とが取り付けられている。また、各側面のフランジは下リブ２４よりも下方に向かって延びて取り付け部２９を構成している。取り付け部２９は、本体１１に固定されたブラケット１７に取り付けピン２２によって水平方向の中心軸周りに回転自在となるように取り付けられている。上リブ２３と下リブ２４には、同軸にねじ孔が設けられており、そのねじ孔に長ねじ３４がねじ込まれている。ねじ孔にねじ込まれた長ねじ３４の長手方向軸は取り付け用のピン２２の中心軸と略直交するよう構成されている。
【００１３】
本体１１と第１フレーム２１との間には第１フレーム２１の本体１１に対するピン２２の回りの回転角度を調整し、足載せ面５１のチルト角を調整する第１調整機構が設けられている。第１調整機構は本体１１に取り付けられた基部２５と、基部２５の内部に設けられた球面状の凹部に嵌まり込む球体状の頭部２６によって構成される自在継手３０とを備え、頭部２６には第１フレーム２１の本体１１側の面から第１フレーム２１にねじ込まれるねじ棒２８が接続されている。また、第１フレーム２１と本体１１の間のねじ棒２８には第１回転板２７が取り付けられている。ねじ棒２８の取り付けられた頭部２６は、基部２５に対していずれの方向にも自在に回転することができる。また、ねじ棒２８の中心軸とピン２２の中心軸とは上下方向に所定の間隔をあけて配置されている。
【００１４】
第２フレーム３１も第１フレーム２１と同様の溝型の金属製フレームであり、その上側と下側には上リブ３２と下リブ３３とが取り付けられている。上リブ３２と下リブ３３には同軸上に貫通孔が設けられており、この貫通孔に長ねじ３４の上端部と下端部とが回転自在となるように支持されている。また、長ねじ３４は上リブ３２及び下リブ３３に長ねじ３４の長手方向である上下方向に支持されており、第２フレーム３１に加わる荷重は長ねじ３４を介して第１フレーム２１からブラケット１７、本体１１へと伝達される。長ねじ３４には第２調整機構を構成する第２回転板３５が設けられている。第２フレーム３１には本体１１から離れる方向に延びる受けフランジ３９が設けられており、受けフランジ３９の上面には樹脂製のカバー５０が取り付けられている。カバー５０の上面には検査者の足６０が載せられる足載せ面５１が設けられている。
【００１５】
第２フレーム３１の第１フレーム２１側の面には、スライダ３７を長ねじ３４の長手方向である上下方向に自在にスライドさせることができるようその面内に保持するガイドレール３６が設けられている。本実施形態では、ガイドレール３６は２本のＬ字形の長手部材を組み合わせ、Ｌ型部材のフランジと第２フレーム３１の面とでスライダ３７を挟み込むように構成されている。
【００１６】
第１フレーム２１と第２フレーム３１のスライダ３７との間には、第２フレーム３１の長ねじ３４周りの回転角度を調整する第３調整機構が取り付けられている。第３調整機構は、第１フレーム２１に取り付けられた基部４１と、基部４１の内部に設けられた球面状の凹部に嵌まり込む球体状の頭部４２によって構成される自在継手４９を備え、頭部４２にはスライダ３７に設けられたねじ孔にねじ込まれるねじ棒４４が接続されている。また、スライダ３７と基部４１の間のねじ棒４４には第３回転板４３が取り付けられている。ねじ棒４４の取り付けられた頭部４２は、基部４１に対していずれの方向にも自在に回転することができる。また、ねじ棒４４の中心軸と長ねじ３４の中心軸とは水平方向に所定の間隔をあけて配置されている。
【００１７】
以上のように構成された超音波診断装置１０のフットレスト２０の角度と高さの調整について説明する。図６に示すように、第１回転板２７をフットレスト２０側から見て時計周りに回転させると、第１回転板２７は自在継手３０の頭部２６に接続されているねじ棒２８を回転させる。ねじ棒２８が回転すると、ねじ棒２８は第１フレーム２１に設けられたねじ孔を本体１１から離れる方向に移動させる。一方、第１フレーム２１は取り付け部２９で本体１１のブラケット１７にピン２２によってピン２２の中心軸の周りに回転自在に取り付けられているので、第１フレーム２１は、ピン２２の周りで上部が本体１１から離れる方向に回転する。第１フレーム２１がピン２２の周りに回転し、第１フレーム２１が本体１１の側面に対して傾いてくると、ねじ棒２８は自在継手３０によって本体１１に対して同等の角度だけ回転する。そして、第１回転板２７を回転させることによって垂直面内で足載せ面５１のチルト角度を好みの角度に調整することができる。第１回転板２７をフットレスト２０の側から見て反時計周りに回転させると、上記と逆に第１フレーム２１が本体１１の側に向かって回転し、初期位置まで角度を戻すことができる。
【００１８】
図７及び図５に示すように、長ねじ３４に取り付けられた第２回転板３５を上方向から見て時計周りに回転させると、長ねじ３４は第１フレーム２１に向かってねじ込まれていく。これによって、長ねじ３４が回転自在に取り付けられている第２フレーム３１は第１フレーム２１に向かって移動する。一方、第１フレーム２１はブラケット１７によって本体１１に取り付けられ、上下方向には移動しないことから、第２フレーム３１は本体１１に対して下方向に向かって移動し、フットレスト２０の足載せ面５１は本体１１に対して下方向に移動することとなる。スライダ３７の上下方向位置は第１フレーム２１に対して変化しないので、第２フレーム３１が第１フレーム２１に向かって移動すると、スライダ３７はガイドレール３６にガイドされて第２フレーム３１の上方に移動する。上記と逆に、第２回転板３５を上方向から見て反時計回りに回転させると、第２フレーム３１は第１フレーム２１と離れる方向に移動し、フットレスト２０の足載せ面５１の高さが上昇する。このように、第２回転板３５を回転させることによってフットレスト２０の足載せ面５１の高さを自在に調整することができる。
【００１９】
図４及び図５に示す第３回転板４３をフットレスト２０側から見て時計周りに回転させると、第３回転板４３は自在継手４９の頭部４２に接続されているねじ棒４４を回転させる。ねじ棒４４が回転すると、ねじ棒４４はスライダ３７に設けられたねじ孔を第１フレーム２１から離れる方向に移動させる。第２フレーム３１に取り付けられたスライダ３７は第１フレーム２１に対する進退方向には移動しないようガイドレール３６によってガイドされていることから、スライダ３７が第１フレーム２１から離れる方向に移動するとスライダ３７につれて第２フレーム３１のスライダ３７が取り付けられている部分も第１フレーム２１から離れる方向に移動する。第２フレーム３１のスライダ３７が取り付けられている部分が第１フレーム２１から離れる方向に移動すると、第２フレーム３１はスライダ３７の取り付けられている部分が第１フレーム２１から離れる方向に長ねじ３４の周りに回転する。第１フレーム２１は本体１１に対して左右方向に回転しないので、第２フレーム３１が長ねじ３４の周りに回転すると、第２フレーム３１は本体１１に対して左右方向に回転することとなる。
【００２０】
第２フレーム３１が長ねじ３４の周りに回転し、第２フレーム３１が本体１１の左右方向に回転してくると、ねじ棒４４は自在継手４９によって第１フレーム２１に対して同等の角度だけ左右方向に回転する。そして、第３回転板４３を回転させることによって足載せ面５１の左右方向の首振り角度を好みの角度に調整することができる。そして、第３回転板４３をフットレスト２０の側から見て反時計周りに回転させると、上記と逆に第２フレーム３１のスライダ３７が取り付けられた部分が長ねじ３４の周りに本体１１の側に向かって回転し、初期位置まで角度を戻すことができる。
【００２１】
以上説明したように、本実施形態の超音波診断装置１０の左右のフットレスト２０は、それぞれ独立して、足載せ面５１のチルト角度、高さ、首振り角度を調整することができるので、超音波検査の際に検査者が体の位置に合わせてフットレスト２０の位置を調整することができ、検査中における検査者の疲労を抑制することができるという効果を奏する。また、本実施形態のフットレスト２０では、長ねじ３４は第２フレーム３１を本体１１に対して上下方向に移動させる機能と共に、第２フレーム３１を上下方向に延びる軸の周りに回転させる回転中心軸としての機能を備えている。このため、簡便な構成で、左右方向の首振り角度の調整と、上下方向に高さの調整とを行うことができるという効果を奏する。
【図面の簡単な説明】
【００２２】
【図１】本発明の実施形態における超音波診断装置のフットレストを示す側面図である。
【図２】本発明の実施形態における超音波診断装置のフットレストを示す斜視図である。
【図３】本発明の実施形態における超音波診断装置のフットレストの縦断面図である。
【図４】本発明の実施形態における超音波診断装置のフットレストの平面の断面図である。
【図５】本発明の実施形態における超音波診断装置のフットレストの調整機構を模式的に示す斜視図である。
【図６】本発明の実施形態における超音波診断装置のフットレストのチルト角度の調整状態を示す説明図である。
【図７】本発明の実施形態における超音波診断装置のフットレストの高さの調整状態を示す説明図である。
【符号の説明】
【００２３】
１０  超音波診断装置、１１  本体、１２  ベース、１３  操作卓、１４  モニタ支持機構、１５  モニタ、１６  キャスタ、１７  ブラケット、２０  フットレスト、２１  第１フレーム、２２  ピン、２３，３２  上リブ、２４，３３  下リブ、２５，４１  基部、２６，４２  頭部、２７  第１回転板、２８，４４  ねじ棒、２９  取り付け部、３０，４９  自在継手、３１  第２フレーム、３４  長ねじ、３５  第２回転板、３６  ガイドレール、３７  スライダ、３９  受けフランジ、４３  第３回転板、５０  カバー、５１  足載せ面、６０  足。
【図１】
2009254739.tif 000003
【図２】
2009254739.tif 000004
【図３】
2009254739.tif 000005
【図４】
2009254739.tif 000006
【図５】
2009254739.tif 000007
【図６】
2009254739.tif 000008
【図７】
2009254739.tif 000009